(57)【要約】【課題】  原稿を読取走査して得た画像信号等を含むスキャン文書情報を蓄積し、該スキャン文書情報を基に、原稿のある領域が塗りつぶされた画像を見ることができる一方で、特別な利用者のみ、原稿のままの画像を見ること可能にする。【解決手段】  原稿３０を読取走査して得た画像信号を基に表示される画像中の塗りつぶし領域を指定する際、利用者にパスワードを入力させ、スキャン文書格納制御部１６は、読取った画像信号を含むスキャン文書情報を、入力パスワードと関連付けて記憶部１３に格納する。出力態様選択制御部１６３は、スキャン文書情報を選択して出力指示する際に利用者から受け付けたパスワードが、該スキャン文書情報に関連付けられたパスワードに一致しない場合、原稿の塗りつぶし領域が塗りつぶされた画像を出力し、パスワードが一致した場合、原稿の画像を出力する。【選択図】  図１
2007158595.tif 000002
【特許請求の範囲】
【請求項１】
読取手段により原稿を読取走査して得た画像信号を基に表示される前記原稿の画像中の塗りつぶし領域を指定する塗りつぶし領域指定手段と、
前記塗りつぶし領域指定手段による塗りつぶし領域の指定に際して利用者識別情報を入力する利用者識別情報入力手段と、
前記原稿読取走査及び前記塗りつぶし領域指定に関する各種情報を、前記利用者識別情報入力手段により入力された利用者識別情報と関連付けてスキャン文書情報として格納するスキャン文書格納処理手段と、
前記スキャン文書格納処理手段により格納されたスキャン文書情報の中から出力対象のスキャン文書情報を選択する際、利用者識別情報の入力を受付ける利用者識別情報受付手段と、
前記利用者識別情報受付手段により受付けた利用者識別情報が、前記出力対象として選択されたスキャン文書情報に関連付けられた利用者識別情報に一致するか否かを判定する識別情報判定手段と、
前記識別情報判定手段により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力制御手段と
を具備することを特徴とする画像処理装置。
【請求項２】
前記スキャン文書格納処理手段は、
前記スキャン文書情報として、前記原稿読取走査により得た画像信号と、前記塗りつぶし領域指定手段により指定された塗りつぶし領域情報を、前記利用者識別情報と関連付けて格納し、
前記出力制御手段は、
前記識別情報判定手段により、前記利用者識別情報が一致しないと判定された場合は、前記出力対象として選択されたスキャン文書情報中の前記画像信号を前記塗りつぶし領域情報を基に該塗りつぶし領域を塗りつぶし処理した画像信号を基に画像を出力し、前記利用者識別情報が一致すると判定された場合は、前記出力対象として選択されたスキャン文書情報中の前記画像信号を基に画像を出力する
ことを特徴とする請求項１記載の画像処理装置。
【請求項３】
前記スキャン文書格納処理手段は、
前記スキャン文書情報として、前記原稿読取走査により得た画像信号と、該画像信号を前記塗りつぶし領域指定手段により指定された塗りつぶし領域情報を基に該塗りつぶし領域を塗りつぶし処理した画像信号とを、前記利用者識別情報と関連付けて格納し、
前記出力制御手段は、
前記識別情報判定手段により、前記利用者識別情報が一致しないと判定された場合は、前記出力対象として選択されたスキャン文書情報中の前記塗りつぶし処理画像信号を基に画像を出力し、前記利用者識別情報が一致すると判定された場合は、前記出力対象として選択されたスキャン文書情報中の前記画像信号を基に画像を出力する
ことを特徴とする請求項１記載の画像処理装置。
【請求項４】
前記スキャン文書格納処理手段は、
前記スキャン文書情報として、前記塗りつぶし領域指定手段により指定された塗りつぶし領域情報と、前記原稿読取走査により得た画像信号を前記塗りつぶし領域情報を基に該塗りつぶし領域を塗りつぶし処理した画像信号と、前記原稿読取走査により得た画像信号の前記塗りつぶし領域の画像信号である塗りつぶし前領域画像信号とを、前記利用者識別情報と関連付けて格納し、
前記出力制御手段は、
前記識別情報判定手段により、前記利用者識別情報が一致しないと判定された場合は、前記出力対象として選択されたスキャン文書情報中の前記塗りつぶし処理画像信号を基に画像を出力し、前記利用者識別情報が一致すると判定された場合は、前記出力対象として選択されたスキャン文書情報中の前記塗りつぶし処理画像信号に前記塗りつぶし前領域画像信号をマージした画像信号を基に画像を出力する
ことを特徴とする請求項１記載の画像処理装置。
【請求項５】
前記塗りつぶし領域指定手段により指定された塗りつぶし領域の色、形状及び濃度を含む塗りつぶし態様を設定する塗りつぶし設定手段
を更に具備し、
前記出力制御手段は、前記塗りつぶし領域を塗りつぶした画像を出力する場合、前記塗りつぶし領域を前記塗りつぶし設定手段により指定された塗りつぶし態様で塗りつぶした画像を出力する
ことを特徴とする請求項１から４のいずれかに記載の画像処理装置。
【請求項６】
原稿を読取走査し、画像信号に変換する読取手段を有する画像処理装置と、外部情報処理装置とを通信可能に接続して成る画像処理システムにおいて、
前記外部情報処理装置は、
前記画像処理装置から前記読取手段が前記原稿読取走査により得た画像信号を受信する受信手段と、
前記受信手段により受信した前記画像信号を基に前記原稿の画像を表示し、該画像中の塗りつぶし領域を指定する塗りつぶし領域指定手段と、
前記塗りつぶし領域指定手段による塗りつぶし領域の指定に際して利用者識別情報を入力する利用者識別情報入力手段と、
前記受信手段により受信した前記画像信号及び前記塗りつぶし領域指定手段により指定された塗りつぶし領域情報を含むスキャン文書情報を、前記利用者識別情報入力手段により入力された利用者識別情報と関連付けて前記画像処理装置の記憶部に格納するスキャン文書格納処理手段と
を具備し、
前記画像処理装置は、
前記読取手段による前記原稿読取走査により得た画像信号を前記外部情報処理装置に転送する転送手段と、
前記外部情報処理装置の前記スキャン文書格納処理手段により記憶部に格納されたスキャン文書情報の中から出力対象のスキャン文書情報を選択するスキャン文書選択手段と、
前記文書選択手段により出力対象のスキャン文書情報を選択する際、利用者識別情報の入力を受付ける利用者識別情報受付手段と、
前記利用者識別情報受付手段により受付けた利用者識別情報が、前記出力対象として選択されたスキャン文書情報に関連付けられた利用者識別情報に一致するか否かを判定する識別情報判定手段と、
前記識別情報判定手段により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力制御手段と
を具備することを特徴とする画像処理システム。
【請求項７】
コンピュータに実装され、該コンピュータを、読取手段により原稿を読取走査して画像信号に変換し、該画像信号の画像処理を行う画像処理装置として機能させる画像処理プログラムにおいて、
前記読取手段により原稿を読取走査して得た画像信号を基に表示される前記原稿の画像中の塗りつぶし領域を指定する塗りつぶし領域指定処理と、
前記塗りつぶし領域指定処理による塗りつぶし領域の指定に際して利用者識別情報を入力する利用者識別情報入力処理と、
前記原稿読取走査及び前記塗りつぶし領域指定に関する各種情報を、前記利用者識別情報入力処理により入力された利用者識別情報と関連付けてスキャン文書情報として格納するスキャン文書格納処理と、
前記スキャン文書格納処理により格納されたスキャン文書情報の中から出力対象のスキャン文書情報を選択する際、利用者識別情報の入力を受付ける利用者識別情報受付処理と、
前記利用者識別情報受付処理により受付けた利用者識別情報が、前記出力対象として選択されたスキャン文書情報に関連付けられた利用者識別情報に一致するか否かを判定する識別情報判定処理と、
前記識別情報判定処理により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力処理と
を前記コンピュータに実行させることを特徴とする画像処理プログラム。
【発明の詳細な説明】
【技術分野】
【０００１】
本発明は、原稿を読取走査して得た画像信号の指定された領域を塗りつぶし処理して該領域が塗りつぶされた画像を形成する画像処理装置、画像処理システム及びプログラムに係わり、詳しくは、原稿を読取走査して得た画像信号等を含むスキャン文書情報を蓄積しておき、該蓄積されたスキャン文書情報を基に、原稿の画像のある領域が塗りつぶされた画像を見ることができる一方で、特別な利用者のみ、塗りつぶした部分がない原稿そのままの画像を見ることができる画像処理装置、画像処理システム及びプログラムに関する。
【背景技術】
【０００２】
複写機等の画像処理装置においては、原稿の画像を読み取って画像信号に変換し、該画像信号のある領域を塗りつぶし処理することで、当該領域を塗りつぶした画像を表示または出力（印刷）する機能を備えたものが知られている。
【０００３】
この種の従来装置の一例として、下記特許文献１には、原稿が例えば紙幣など複写を禁止する原稿であることを検出手段により検出した時点で、それまでに画像記録した記録媒体上の領域を画像記録手段により、例えば塗りつぶすなど特定画像を付加記録するように制御手段により画像記録手段を動作制御することによって、通常原稿は、そのまま複写が実行され、複写時間はほとんど変わらず、また、紙幣の部分的な複写による偽造を防止できるようにした画像記録装置が開示されている。
【特許文献１】特開平０２−０７３２８３号公報
【発明の開示】
【発明が解決しようとする課題】
【０００４】
ところで、この種の画像処理装置では、読取対象の原稿として領収書や取引伝票等を用いることもあり、この場合には、該原稿の読取結果（画像信号）を基に画像を出力（表示または印刷）する際、会社名等、ある領域部分を塗りつぶして出力した方が好ましいケースがある一方で、監査などに際しては、元本（元原稿）の画像を塗りつぶしのない元のままの内容で見たいといった要求もある。
【０００５】
一方、特許文献１に示す画像記録装置等の従来装置では、原稿の見せたくない部分を塗りつぶした画像を得ることはできるが、一度塗りつぶした部分を復元して、元原稿の内容そのままの塗りつぶしのない画像を得ることはできなかった。
【０００６】
このため、従来は、領収書や取引伝票等における会社名等の領域を塗りつぶし処理した画像信号を複写機本体やサーバ等のメモリに記憶しておき、監査などに際して、元本そのままの画像を見たい場合に、この記憶していた画像信号から塗りつぶし領域の塗りつぶしをなくした画像信号を復元し、元本そのままの画像を見ることができないという問題点があった。
【０００７】
本発明は、上記問題点を解消し、原稿を読取走査して得た画像信号等を含むスキャン文書情報を蓄積しておき、該蓄積されたスキャン文書情報を基に、原稿の画像のある領域が塗りつぶされた画像を見ることができる一方で、特別な利用者のみ、塗りつぶした部分がない原稿そのままの画像を見ることができる画像処理装置、画像処理システム及びプログラムを提供することを目的とする。
【課題を解決するための手段】
【０００８】
上記目的を達成するために、請求項１記載の発明は、読取手段により原稿を読取走査して得た画像信号を基に表示される前記原稿の画像中の塗りつぶし領域を指定する塗りつぶし領域指定手段と、前記塗りつぶし領域指定手段による塗りつぶし領域の指定に際して利用者識別情報を入力する利用者識別情報入力手段と、前記原稿読取走査及び前記塗りつぶし領域指定に関する各種情報を、前記利用者識別情報入力手段により入力された利用者識別情報と関連付けてスキャン文書情報として格納するスキャン文書格納処理手段と、前記スキャン文書格納処理手段により格納されたスキャン文書情報の中から出力対象のスキャン文書情報を選択する際、利用者識別情報の入力を受付ける利用者識別情報受付手段と、前記利用者識別情報受付手段により受付けた利用者識別情報が、前記出力対象として選択されたスキャン文書情報に関連付けられた利用者識別情報に一致するか否かを判定する識別情報判定手段と、前記識別情報判定手段により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力制御手段とを具備することを特徴とする。
【０００９】
請求項２記載の発明は、上記請求項１記載の発明において、前記スキャン文書格納処理手段は、前記スキャン文書情報として、前記原稿読取走査により得た画像信号と、前記塗りつぶし領域指定手段により指定された塗りつぶし領域情報を、前記利用者識別情報と関連付けて格納し、前記出力制御手段は、前記識別情報判定手段により、前記利用者識別情報が一致しないと判定された場合は、前記出力対象として選択されたスキャン文書情報中の前記画像信号を前記塗りつぶし領域情報を基に該塗りつぶし領域を塗りつぶし処理した画像信号を基に画像を出力し、前記利用者識別情報が一致すると判定された場合は、前記出力対象として選択されたスキャン文書情報中の前記画像信号を基に画像を出力することを特徴とする。
【００１０】
請求項３記載の発明は、上記請求項１記載の発明において、前記スキャン文書格納処理手段は、前記スキャン文書情報として、前記原稿読取走査により得た画像信号と、該画像信号を前記塗りつぶし領域指定手段により指定された塗りつぶし領域情報を基に該塗りつぶし領域を塗りつぶし処理した画像信号とを、前記利用者識別情報と関連付けて格納し、前記出力制御手段は、前記識別情報判定手段により、前記利用者識別情報が一致しないと判定された場合は、前記出力対象として選択されたスキャン文書情報中の前記塗りつぶし処理画像信号を基に画像を出力し、前記利用者識別情報が一致すると判定された場合は、前記出力対象として選択されたスキャン文書情報中の前記画像信号を基に画像を出力することを特徴とする。
【００１１】
請求項４記載の発明は、上記請求項１記載の発明において、前記スキャン文書格納処理手段は、前記スキャン文書情報として、前記塗りつぶし領域指定手段により指定された塗りつぶし領域情報と、前記原稿読取走査により得た画像信号を前記塗りつぶし領域情報を基に該塗りつぶし領域を塗りつぶし処理した画像信号と、前記原稿読取走査により得た画像信号の前記塗りつぶし領域の画像信号である塗りつぶし前領域画像信号とを、前記利用者識別情報と関連付けて格納し、前記出力制御手段は、前記識別情報判定手段により、前記利用者識別情報が一致しないと判定された場合は、前記出力対象として選択されたスキャン文書情報中の前記塗りつぶし処理画像信号を基に画像を出力し、前記利用者識別情報が一致すると判定された場合は、前記出力対象として選択されたスキャン文書情報中の前記塗りつぶし処理画像信号に前記塗りつぶし前領域画像信号をマージした画像信号を基に画像を出力することを特徴とする。
【００１２】
請求項５記載の発明は、上記請求項１から４のいずれかに記載の発明において、前記塗りつぶし領域指定手段により指定された塗りつぶし領域の色、形状及び濃度を含む塗りつぶし態様を設定する塗りつぶし設定手段を更に具備し、前記出力制御手段は、前記塗りつぶし領域を塗りつぶした画像を出力する場合、前記塗りつぶし領域を前記塗りつぶし設定手段により指定された塗りつぶし態様で塗りつぶした画像を出力することを特徴とする。
【００１３】
請求項６記載の発明は、原稿を読取走査し、画像信号に変換する読取手段を有する画像処理装置と、外部情報処理装置とを通信可能に接続して成る画像処理システムにおいて、前記外部情報処理装置は、前記画像処理装置から前記読取手段が前記原稿読取走査により得た画像信号を受信する受信手段と、前記受信手段により受信した前記画像信号を基に前記原稿の画像を表示し、該画像中の塗りつぶし領域を指定する塗りつぶし領域指定手段と、前記塗りつぶし領域指定手段による塗りつぶし領域の指定に際して利用者識別情報を入力する利用者識別情報入力手段と、前記受信手段により受信した前記画像信号及び前記塗りつぶし領域指定手段により指定された塗りつぶし領域情報を含むスキャン文書情報を、前記利用者識別情報入力手段により入力された利用者識別情報と関連付けて前記画像処理装置の記憶部に格納するスキャン文書格納処理手段とを具備し、前記画像処理装置は、前記読取手段による前記原稿読取走査により得た画像信号を前記外部情報処理装置に転送する転送手段と、前記外部情報処理装置の前記スキャン文書格納処理手段により記憶部に格納されたスキャン文書情報の中から出力対象のスキャン文書情報を選択するスキャン文書選択手段と、前記文書選択手段により出力対象のスキャン文書情報を選択する際、利用者識別情報の入力を受付ける利用者識別情報受付手段と、前記利用者識別情報受付手段により受付けた利用者識別情報が、前記出力対象として選択されたスキャン文書情報に関連付けられた利用者識別情報に一致するか否かを判定する識別情報判定手段と、前記識別情報判定手段により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力制御手段とを具備することを特徴とする。
【００１４】
請求項７記載の発明は、コンピュータに実装され、該コンピュータを、読取手段により原稿を読取走査して画像信号に変換し、該画像信号の画像処理を行う画像処理装置として機能させる画像処理プログラムにおいて、前記読取手段により原稿を読取走査して得た画像信号を基に表示される前記原稿の画像中の塗りつぶし領域を指定する塗りつぶし領域指定処理と、前記塗りつぶし領域指定処理による塗りつぶし領域の指定に際して利用者識別情報を入力する利用者識別情報入力処理と、前記原稿読取走査及び前記塗りつぶし領域指定に関する各種情報を、前記利用者識別情報入力処理により入力された利用者識別情報と関連付けてスキャン文書情報として格納するスキャン文書格納処理と、前記スキャン文書格納処理により格納されたスキャン文書情報の中から出力対象のスキャン文書情報を選択する際、利用者識別情報の入力を受付ける利用者識別情報受付処理と、前記利用者識別情報受付処理により受付けた利用者識別情報が、前記出力対象として選択されたスキャン文書情報に関連付けられた利用者識別情報に一致するか否かを判定する識別情報判定処理と、前記識別情報判定処理により、前記利用者識別情報が一致しないと判定された場合は、前記出力対象として選択されたスキャン文書情報に基づき原稿の画像中の前記塗りつぶし領域を塗りつぶした画像を出力し、前記利用者識別情報が一致すると判定された場合は、前記出力対象として選択されたスキャン文書情報に基づき原稿の画像を出力する出力処理とを前記コンピュータに実行させることを特徴とする。
【発明の効果】
【００１５】
本発明によれば、読取手段により原稿を読取走査して得た画像信号を基に表示される原稿の画像中の塗りつぶし領域を指定する際、利用者識別情報を入力し、原稿読取走査及び塗りつぶし領域指定に関する各種情報を、入力された利用者識別情報と関連付けてスキャン文書情報として格納しておき、その後、この格納されたスキャン文書情報の中から出力対象のスキャン文書情報を選択する際に利用者識別情報の入力を受付け、該受付けた利用者識別情報が、出力対象として選択されたスキャン文書情報に関連付けられた利用者識別情報に一致しない場合には、該スキャン文書情報に基づき原稿の画像を指定された塗りつぶし領域を塗りつぶした画像として出力し、上記利用者識別情報が一致すると判定された場合は、該スキャン文書情報に基づき原稿の画像を塗りつぶし領域が塗りつぶされていない画像として出力する制御を行うものである。
【００１６】
かかる制御によれば、スキャン文書情報に関連付けて格納した利用者識別情報を、該スキャン文書情報に基づき原稿の画像を指定された塗りつぶし領域を塗りつぶした画像として出力するか、塗りつぶし領域が塗りつぶされていない画像として出力するかを制御するキー情報として用いることで、原稿を読取走査して得た画像信号等を含むスキャン文書情報を蓄積しておき、該蓄積されたスキャン文書情報を基に、原稿の画像のある領域が塗りつぶされた画像を見ることができる一方で、スキャン文書情報を選択して出力（表示または印刷）指示する際、該出力対象のスキャン文書情報に関連付けられている利用者識別情報を入力することで、該利用者識別情報を知る特別な利用者のみ、塗りつぶした部分がない原稿そのままの画像を見ることができる。
【発明を実施するための最良の形態】
【００１７】
以下、本発明の実施形態について添付図面を参照して詳細に説明する。
【００１８】
図１は、本発明に係わる画像処理装置の機能構成を示すブロック図である。
【００１９】
図１に示すように、この画像処理装置１０は、所定の読取位置（プラテン上）に載置される原稿３０の画像を読取り、電気的な画像信号（画像データ）に変換する読取部（スキャナ部）１１、読取部１１により原稿３０を読取走査して得られた画像データ（スキャン文書データ）に後述する塗りつぶし処理等の画像処理を施す画像処理部１２、スキャン文書データや、動作プログラム等の各種情報を記憶する記憶部１３、読取部１１により原稿３０を読取走査して得られた画像データ、あるいは、画像処理部１２による塗りつぶし処理後の画像データに基づき電子写真プロセスを実行して記録媒体（印刷用紙）にこれら画像データに対応する画像を形成（印刷）する画像形成部１４、タッチパネル機能を有する大型ビットマップディスプレイ等から成る表示／操作部１５、スキャン、コピー、プリント、ファクシミリ通信等の各機能に係わる該当各部（ファクシミリ通信機能部については図示せず）の動作制御等、装置全体の制御を行なう制御部１６、ＰＣ（パーソナル・コンピュータ）等の外部装置との間の通信インタフェースを司る外部インタフェース（Ｉ／Ｆ）部１７を備えて構成される。
【００２０】
この画像処理装置１０は、読取部１１により原稿３０の画像を読み取って得た画像データを基に表示／操作部１５に読取り対象である原稿３０の画像を表示して該画像のうちの部分的に塗りつぶす塗りつぶし領域の指定を受け付け、該原稿３０を読み取って得た画像データ中の指定された塗りつぶし領域を塗りつぶし処理して生成した塗りつぶし処理画像データを基に該原稿３０の画像中の指定された塗りつぶし領域が塗りつぶされた画像を表示／操作部１５に表示し、あるいは、画像形成部１４で印刷する出力制御機能を有し、更には、上記塗りつぶし処理された領域の画像データを塗りつぶし処理をしていない元の画像データに復元して該画像データを基に原稿３０そのままの画像（塗るつぶし領域が塗りつぶされていない画像）を出力（表示または印刷）する制御機能を有する。
【００２１】
この制御機能を実現するために、画像処理装置１０の制御部１６には、読取部１１により原稿３０を読み取って得た画像データを基に表示／操作部１５に元原稿３０の画像を表示して該画像中の塗りつぶし領域の指定を受け付ける際、利用者から個人識別用の情報（利用者識別情報：この例では、パスワード）の入力を受付け、読取部１１での読取走査により得た原稿３０の画像データや、指定された塗りつぶし領域の情報等から成るスキャン文書情報を、利用者により入力された上記パスワードと関連付け、かつ、該当するスキャン文書名を付して、例えば、記憶部１３の所定エリアに格納するスキャン文書格納制御部１６１が備わる。
【００２２】
また、制御部１６には、スキャン文書格納制御部１６１により格納されたスキャン文書情報を記憶部１３から読み出してスキャン文書名を一覧表示し、該一覧表示されたスキャン文書の中から出力（表示または印刷）対象文書の選択を受付けると共に、該出力対象文書選択の際に、該出力対象文書に対応するパスワードの入力を更に受け付け、この受付けたパスワードが該スキャン文書に関連付けられたパスワードに一致するか否かを判定するパスワード判定部１６２、パスワード判定部１６２によるパスワードの一致／不一致の判定結果に応じて、該スキャン文書の画像データを用いて該スキャン文書の元原稿３０そのままの画像（塗りつぶしのない原稿画像）を出力（表示または記録）するか、または、該スキャン文書に関連付けられた塗りつぶし領域情報に従って該塗りつぶし領域を塗りつぶした画像として出力（表示または記録）する出力態様選択制御部１６３が備わる。
【００２３】
以下、これらスキャン文書格納制御部１６１、パスワード判定部１６２及び出力態様選択制御部１６３によるスキャン文書の格納／出力処理について各実施例を挙げて詳細に説明する。
【００２４】
実施例１：
図１に示すように、本発明に係わる画像処理装置１０は、読取り位置にセットされた原稿３０を読取走査（スキャン）する機能部である読取部１１を備える。
【００２５】
この画像処理装置１０がスキャンする原稿３０としては、例えば、図２に示すように、Ｂ社○○部がＡ社宛に発行した取引金額１０，０００円の領収書３０ａが考えられる。
【００２６】
画像処理装置１０において、上記領収書３０ａをスキャンして出力（表示または印刷）する場合、取引先である「Ｂ社○○部」の部分を塗りつぶして出力するのが望ましい場合があり、その他、例えば、監査等に臨んで、「Ｂ社○○部」の部分を塗りつぶしていない元の領収書３０ａそのままの画像を出力する必要に迫られる場合も考えられる。
【００２７】
かかる要求に対し、本実施例に係わる画像処理装置１０は、塗りつぶしスキャンモードを選択し、該塗りつぶしスキャンモードで領収書３０ａをスキャンして該スキャンにより得られる画像データ等を含むスキャン文書情報を利用者によって入力されるパスワードに関連付けて格納することで対処できる機能構成を有する。
【００２８】
塗りつぶしスキャンモードにおいては、例えば、原稿３０（領収書３０ａ）のスキャン完了後、原稿３０の画像中の塗りつぶし領域や該塗りつぶし領域の塗りつぶし態様（色、形、濃度）を指定する塗りつぶし設定を受付け、その際に、利用者に対して、利用者識別情報として用いるパスワードの入力が促され、利用者によってパスワードが入力されると、この時に原稿３０をスキャンして得た画像データ、上記塗りつぶし設定の際に指示された塗りつぶし領域情報や塗りつぶし態様等の塗りつぶし設定情報がスキャン文書情報として、該入力されたパスワードと関連付けて格納される。
【００２９】
これにより、その後、上記塗りつぶしスキャンモードでスキャン、格納されたスキャン文書情報を基に画像を出力する際、利用者に対してパスワードの入力を促し、該入力されたパスワードが当該印刷対象として選択されたスキャン文書情報に関連付けられて格納されているパスワードと一致しない場合には、該スキャン文書情報に関連付けられて格納されている画像データ及び塗りつぶし設定情報を基に塗りつぶし領域が塗りつぶされて成る原稿画像を出力する一方、入力されたパスワードがスキャン文書情報に関連付けられているパスワードと一致する場合には上記スキャンにより得た画像データに基づいて元原稿３０そのままの画像（塗りつぶした領域が塗りつぶされていない画像）を出力する制御を実現できる。
【００３０】
なお、この画像処理装置１０において、塗りつぶしスキャンモードは、例えば、表示／操作部１５上に表示されるＵＩ画面を用いて設定することができる。
【００３１】
例えば、本実施例の画像処理装置１０では、待機状態において、表示／操作部１５上には、通常モードでのスキャン開始を指示する「スキャン開始」ボタンの他、塗りつぶしスキャンモードを指定する「塗りつぶしスキャンモード」ボタンを有するＵＩ画面が表示される。
【００３２】
利用者は、原稿３０を所定読取位置にセットした後、ＵＩ画面上で「スキャン開始」ボタンを押下することで該原稿３０を通常モードでスキャンして出力することができ、また、上記ＵＩ画面上で「塗りつぶしスキャンモード」ボタンを押下した場合には、塗りつぶしスキャンモードを設定して原稿３０のスキャン、並びにスキャン文書格納処理を実施できる。
【００３３】
図３は、本実施例に係わる画像処理装置１０の塗りつぶしスキャンモードにおけるスキャン処理動作を示すフローチャートである。
【００３４】
図３に示すように、利用者が、領収書３０ａ（図２参照）である原稿３０を読取位置にセットした後、表示／操作部１５のＵＩ画面上の「塗りつぶしスキャンモード」ボタンを押下して塗りつぶしスキャンモードを選択すると（ステップＳ１０１）、制御部１６は、読取部１１を駆動して該原稿３０を読取走査する（ステップＳ１０２）。
【００３５】
この読取部１１での原稿３０の読取走査によって、該原稿３０上の画像は電気的な画像信号（画像データ）に変換され、該画像データが一時的に制御部１６内に取り込まれる。
【００３６】
原稿３０の読取走査が終了すると、制御部１６は、塗りつぶし設定受付処理（ステップＳ１０３）に進む。
【００３７】
塗りつぶし設定受付処理において、制御部１６は、まず、表示／操作部１５に表示するＵＩ画面を、例えば、図４に示す表示内容を有する塗りつぶし領域指定画面５１ａに切換える。
【００３８】
塗りつぶし領域指定画面５１ａには、図４に示すように、読取部１１により読み取った原稿３０に対応する画像データを基に該原稿３０の画像内容が領域５１２に表示されると共に、操作ガイダンス領域５１１には、この画像内容を用いて塗りつぶし領域を指定することを利用者に促すメッセージ“塗りつぶし領域を指定して下さい。”が表示されている。
【００３９】
この塗りつぶし領域指定画面５１ａにおいて、領域５１２に表示される画像内容中、塗りつぶしを希望する画像領域（この例では、「Ｂ社○○部」）の中央部分を利用者が指で押すと、このタッチ操作を検知した制御部１６が、ＵＩ画面を、例えば、図５に示す表示内容から成る塗りつぶし設定画面５１ｂに切換える。
【００４０】
図５に示すように、この塗りつぶし設定画面５１ｂでは、上記塗りつぶし領域指定画面５１ａで利用者により指で押された部分の画像を、同画面５１ｂにおける領域５１２内に、例えば、同図に示すような態様で拡大して表示する。
【００４１】
これに合わせて、制御部１６は、該領域５１２の適宜な位置に画像全体を表示することを指示する「全体」ボタン５１４と、塗りつぶし設定を修了することを指示する「終了」ボタン５１５を表示する。
【００４２】
また、領域５１２の横に設けられるツール領域５１３には、塗りつぶし態様として、塗りつぶし領域の色、形、濃度をそれぞれ指定する「色」ボタン、「形」ボタン、「濃度」ボタン、並びに、指示内容の確定を指示する「ＯＫ」ボタンから成る「塗りつぶし設定」ツールを表示する。
【００４３】
併せて、操作ガイダンス領域５１１には、「塗りつぶし設定」ツールを用いて塗りつぶし態様を設定することを促すメッセージ“塗りつぶし設定を行って下さい。”を表示する。
【００４４】
この塗りつぶし設定画面５１ｂの表示中、利用者は、「塗りつぶし設定」ツールの「色」ボタン、「形」ボタン、「濃度」ボタンを使って所望の色、形、濃度を指定し「ＯＫ」ボタンを押下して該指示条件を確定した後、拡大された画像の表示部分を指で押しながら移動させると、該移動させた部分の画像領域がこの時に指定された色、形、濃度で塗りつぶされ、利用者に対して塗りつぶし態様（色、形、濃度）の設定内容が明示的に示される。
【００４５】
指で押しながら画像表示部分を移動させる動きを終えた後、利用者が「全体」ボタン５１４を押下すると、ＵＩ画面が、例えば、図６に示す表示内容の塗りつぶし領域指定画面５１ｃに切換えられて、その領域５１２内には、上記塗りつぶし設定画面５１ｂで利用者が指定した塗りつぶし設定内容を反映した画像全体が表示される。
【００４６】
この塗りつぶし領域指定画面５１ｃで、利用者は、領域５１２内に表示される原稿画像の既に塗りつぶし領域として指定した領域以外の領域についても塗りつぶし領域として指定することができる。
【００４７】
塗りつぶし領域指定画面５１ｃで、利用者が、「Ｂ社○○部」以外の領域を指定する（図４におけるＵＩ画面操作参照）と、再び、ＵＩ画面の表示が図５に示す塗りつぶし設定画面５１ｂ（但し、直前に塗りつぶし領域として指定された領域の拡大画像が表示されたもの）に戻り、当該塗りつぶし領域に対する塗りつぶしの色、形及び濃度を指定することができる。
【００４８】
以後、上述した手順を繰り返し実施することで、利用者は、この時にスキャンした原稿３０の画像中の複数の領域を塗りつぶし領域として指定し、かつ、該塗りつぶし領域毎に塗りつぶし態様（色、形、濃度）を設定することができる。
【００４９】
このような手順に基づく塗りつぶし領域の指定、並びに塗りつぶし態様の設定操作を続行中、利用者は、塗りつぶし設定画面５１ｂ（あるいは、塗りつぶし領域指定画面５１ｃ）上で「終了」ボタン５１５を押下することで塗りつぶし設定の完了を画像処理装置１０に指示することができる。
【００５０】
画像処理装置１０では、図４〜図６を参照して説明した手順でなされる塗りつぶし設定の受付処理中（ステップＳ１０３）、利用者によりＵＩ画面上の「終了」ボタン５１５が押下されると（ステップＳ１０４ＹＥＳ）、スキャン文書格納制御部１６１は、ＵＩ画面の表示を、例えば、図７に示す表示内容から成るパスワード入力画面５１ｄに切換える（ステップＳ１０５）。
【００５１】
図７に示すように、パスワード入力画面５１ｄにおいて、操作ガイダンス領域５１１内には、パスワードを入力することを利用者に促すメッセージ“パスワードを入力して下さい。”が表示される。
【００５２】
また、このパスワード入力画面５１ｄの中央領域５１２には、パスワードの入力エリア５１６と、該入力エリア５１６に対するパスワードの入力完了を指示する「完了」ボタン５１７が表示される。
【００５３】
利用者は、このパスワード入力画面５１ｄにおいて、パスワード入力エリア５１６に、例えば、表示／操作部１５に付随して設けられる図示しないテンキー等を用いて、今回のスキャン対象文書（原稿３０：領収書３０ａ）に関連付けるパスワードを入力し、「完了」ボタン５１７を押下することで当該パスワードを確定することができる。
【００５４】
一方、画像処理装置１０において、スキャン文書格納制御部１６１は、上記パスワード入力画面５１ｄの表示中、パスワード入力エリア５１６に対するパスワードの入力状況、並びに「完了」ボタン５１７の操作状況を監視することによって、パスワードの入力があるか否かをチェックする（ステップＳ１０６）。
【００５５】
ここで、パスワードが入力されないまま「完了」ボタン５１７が押下されると、スキャン文書格納制御部１６１は、パスワードの入力無しと判断し（ステップＳ１０６ＮＯ）、上記ステップＳ１０２での読取走査により得た画像データと、上記ステップＳ１０３での塗りつぶし設定受付処理で受付けた塗りつぶし領域情報〔例えば、塗りつぶし領域指定画面５１ａ，５１ｃ（図４，図６参照）等により指定された塗りつぶし領域の４点のアドレス情報〕及び塗りつぶし設定情報〔塗りつぶし設定画面５１ｂ（図５参照）等により設定された塗りつぶし領域の色、形、濃度の各情報〕とを記憶部１３（例えば、ハードディスクで構成される）の所定エリアに格納する（ステップＳ１０７）。
【００５６】
これに対して、パスワードが入力され、かつ、「完了」ボタン５１７が押下されると、スキャン文書格納制御部１６１は、パスワードの入力有りと判断し（ステップＳ１０６ＹＥＳ）、上記ステップＳ１０２での読取走査により得た画像データと、上記ステップＳ１０３での塗りつぶし設定受付処理で受付けた塗りつぶし領域情報〔例えば、塗りつぶし領域指定画面５１ａ，５１ｃ（図４，図６参照）等により指定された塗りつぶし領域の４点のアドレス情報〕及び塗りつぶし設定情報〔塗りつぶし設定画面５１ｂ（図５参照）等により設定された塗りつぶし領域の色、形、濃度の各情報〕と、上記ステップＳ１０６で入力されたパスワードとを関連付けて記憶部１３の所定エリア（スキャン文書管理テーブル）に格納する（ステップＳ１０８）。
【００５７】
なお、上記ステップＳ１０７，Ｓ１０８のいずれの処理においても、原稿３０をスキャンして得た画像データをこれと関連付けられる情報と共に記憶部１３に格納する際、当該画像データ毎にその識別を可能にする、例えば、スキャン文書１，２，３，…等の適宜な識別子（スキャン文書名）が付加される。
【００５８】
図８は、図３におけるステップＳ１０８の処理によって記憶部１３のスキャン文書管理テーブル１３１ａに格納されるスキャン文書情報の構成を示す表図である。
【００５９】
図８に示すように、本実施例では、複数の原稿３０を、各々、塗りつぶしスキャンモードでスキャンし終えた段階で、スキャン文書管理テーブル１３１ａには、これら各原稿３０毎に、スキャン文書名、原稿３０の画像を読取走査して得られた画像データ（現画像データ）、塗りつぶし領域情報、塗りつぶし設定情報、パスワードが一まとまりにされて関連付けられたスキャン文書情報が格納される。
【００６０】
このスキャン文書管理テーブル１３１ａにおけるスキャン文書情報の格納構造によれば、各スキャン文書（スキャン文書１，２，…）毎に、該当する原稿３０の画像中の指定された塗りつぶし領域を塗りつぶした画像を含む原稿画像を生成可能な情報（現画像データ、塗りつぶし領域情報、塗りつぶし設定情報）と、元の原稿３０そのままの画像（塗りつぶしのない画像）を出力可能な情報（現画像データ）とが各々パスワードと関連付けて格納されるため、その後、該スキャン文書を選択して画像出力する場合には、利用者にパスワードの入力を促し、該利用者により入力されたパスワードと当該スキャン文書に関連付けられているパスワードとの一致性を判断することで、元原稿３０そのままの画像を出力するか、指定された塗りつぶし領域を塗りつぶした画像を出力するかの選択態様出力制御に対処できる。
【００６１】
次に、本実施例に係わる画像処理装置１０におけるスキャン文書の出力処理動作について図９に示すフローチャートを参照して詳述する。
【００６２】
このスキャン文書出力処理動作を起動する場合、利用者は、待機状態において表示／操作部１５に表示されているＵＩ画面上で、複数の動作メニューを個々に選択するために各々設けられる各ボタンのうちの、スキャン文書の表示／印刷（プリント）を指示するために設けられる「スキャン文書表示／プリント」ボタンを押下する。
【００６３】
一方、画像処理装置１０では、待機中、制御部１６が、「スキャン文書／プリント」ボタンが押下されたか否かを監視している（ステップＳ２０１）。
【００６４】
ここで、利用者によって「スキャン文書／プリント」ボタンが押下されると（ステップＳ２０１ＹＥＳ）、次いで、制御部１６は、スキャン文書管理テーブル１３１ａに格納されているスキャン文書情報を基に、その時点で格納されているスキャン文書情報の文書名（スキャン文書１，２，…）をリストアップして、これらスキャン文書を一覧表示する（ステップＳ２０２）。
【００６５】
スキャン文書を一覧表示した状態で、制御部１６は、利用者が所望のスキャン文書名にタッチする等の操作に基づくスキャン文書の選択を受付ける。
【００６６】
そして、このスキャン文書選択受付け待ちの間に、利用者によって一覧表示された中のいずれかのスキャン文書が選択された場合（ステップＳ２０３ＹＥＳ）、パスワード判定部１６２は、ＵＩ画面の表示を、例えば、図１０に示す表示内容から成るパスワード入力画面５３に切換える（ステップＳ２０４）。
【００６７】
図１０に示すように、スキャン文書表示／プリント時のパスワード入力画面５３において、中央領域５３２には、上記ステップＳ２０３で利用者によって選択された出力対象のスキャン文書名（この例では、“スキャン文書１”）５３２１と、パスワードの入力エリア５３２２と、該入力エリア５１６に対するパスワードの入力完了を指示する「完了」ボタン５３２３とが表示される。
【００６８】
また、中央領域５３２の横に設けられるツール領域５３３には、出力種別として該スキャン文書を表示することを指示する「表示」ボタン５３３１、同じく、該スキャン文書をプリントすることを指示する「プリント」ボタン５３３２から成る「出力種別指定」ツールを表示する。
【００６９】
併せて、操作ガイダンス領域５３１には、「出力種別指定」ツールを用いて出力種別を指定し、パスワードを入力することを利用者に促すメッセージ“出力種別（表示またはプリント）を選択し、パスワードを入力して下さい。”を表示する。
【００７０】
このパスワード入力画面５３の表示中、利用者は、「出力種別」ツールの「表示」ボタン５３３１または「プリント」ボタン５３３２のいずれかを押下して該出力種別を指定した後、パスワード入力エリア５３３２に、例えば、図示しないテンキー等を用いて、当該出力対象として選択した文書“スキャン文書１”のスキャン時に入力したパスワードを入力したうえで、「完了」ボタン５３２３を押下することで、該出力対象文書“スキャン文書１”に対する出力種別とパスワードを確定することができる。
【００７１】
一方、画像処理装置１０において、出力態様選択制御部１６３は、上記パスワード入力画面５３の表示中、「出力種別」ツールの「表示」ボタン５３３１または「プリント」ボタン５３３２の押下状況を監視することにより出力種別が選択されたか否かをチェックする（ステップＳ２０５）。
【００７２】
ここで、出力種別が選択された場合（ステップＳ２０５ＹＥＳ）、次いで、出力態様選択制御部１６３は、パスワード入力エリア５３２２に対するパスワードの入力状況、並びに「完了」ボタン５３２３の操作状況を監視することによって、パスワードの入力があるか否かをチェックする（ステップＳ２０６）。
【００７３】
ここで、パスワードが入力されないまま「完了」ボタン５３２３が押下されると、出力態様選択制御部１６３は、パスワードの入力無しと判断し（ステップＳ２０６ＮＯ）、上記ステップＳ２０３で選択されたスキャン文書に関連してスキャン文書管理テーブル１３１ａ（図８参照）に格納されている現画像データ、塗りつぶし領域情報並びに塗りつぶし設定情報を特定し、該塗りつぶし領域情報並びに塗りつぶし設定情報を基に、現画像データ中の指定された塗りつぶし領域を指定された塗りつぶし態様（色、形、濃度）で塗りつぶし処理した塗りつぶし処理画像データを生成し、該塗りつぶし処理画像データに基づく画像を出力させるように制御する（ステップＳ２０８）。
【００７４】
このステップＳ２０８での塗りつぶし画像出力制御において、出力態様選択制御部１６３は、上記ステップＳＳ２０５において、「出力種別」ツールの「表示」ボタン５３３１が押下されることにより出力種別として「表示」が選択されている場合には、生成した塗りつぶし処理画像データに基づき、表示／操作部１５上に、該スキャン文書の元原稿３０の画像における指定された塗りつぶし領域が指定された塗りつぶし態様（色、形、濃度）で塗りつぶされた画像を表示させる。
【００７５】
また、上記ステップＳＳ２０５において、「出力種別」ツールの「プリント」ボタン５３３２が押下されることにより出力種別として「プリント」が選択されている場合には、出力態様選択制御部１６３は、生成した塗りつぶし処理画像データを画像形成部１４に渡し、該スキャン文書の元原稿３０の画像における指定された塗りつぶし領域が指定された塗りつぶし態様（色、形、濃度）で塗りつぶされた画像を印刷出力させる。
【００７６】
これに対して、パスワードが入力され、かつ、「完了」ボタン５３２３が押下されると、パスワード判定部１６２は、パスワードの入力有りと判断し（ステップＳ２０６ＹＥＳ）、次いで、この入力されたパスワードと、上記ステップＳ２０３で選択されたスキャン文書に関連してスキャン文書管理テーブル１３１ａ（図８参照）に格納されているパスワードとを比較照合し、両者が一致するか否かをチェックする（ステップＳ２０７）。
【００７７】
ここで、ステップＳ２０６で入力されたパスワードと、上記ステップＳ２０３で選択されたスキャン文書に関連するパスワードが一致しない場合（ステップＳ２０７ＮＯ）、出力態様選択制御部１６３は、上記ステップＳ２０６でパスワードが入力されなかった場合（ステップＳ２０６ＮＯ）と同様、上記ステップＳ２０３で選択されたスキャン文書に関連してスキャン文書管理テーブル１３１ａ（図８参照）に格納されている現画像データ、塗りつぶし領域情報並びに塗りつぶし設定情報を基に現画像データ中の指定された塗りつぶし領域が指定された塗りつぶし態様で（色、形、濃度）で塗りつぶし処理した塗りつぶし処理画像データを生成し、該塗りつぶし処理画像データに基づく画像の出力制御（表示または印刷）を実施する（ステップＳ２０８）。
【００７８】
これに対し、ステップＳ２０６で入力されたパスワードと、上記ステップＳ２０３で選択されたスキャン文書に関連するパスワードが一致する場合（ステップＳ２０７ＹＥＳ）、出力態様選択制御部１６３は、上記ステップＳ２０３で選択されたスキャン文書に関連してスキャン文書管理テーブル１３１ａ（図８参照）に格納されている現画像データを読出し、該現画像データに基づく画像出力制御を行なう（ステップＳ２０９）。
【００７９】
このステップＳ２０９での画像出力制御においても、出力態様選択制御部１６３は、上記ステップＳＳ２０５において、「出力種別」ツールの「表示」ボタン５３３１が押下されることにより出力種別として「表示」が選択されている場合には、スキャン文書管理テーブル１３１ａから読み出した現画像データに基づき、表示／操作部１５上に、該スキャン文書の元原稿３０の画像そのままの画像（塗りつぶしのない画像）を表示させ、また、上記ステップＳＳ２０５において、「出力種別」ツールの「プリント」ボタン５３３２が押下されることにより出力種別として「プリント」が選択されている場合には、スキャン文書管理テーブル１３１ａから読み出した現画像データを画像形成部１４に渡し、該スキャン文書の元原稿３０の画像そのままの画像（塗りつぶしのない画像）を印刷出力させる。
【００８０】
図１１は、実施例１に係わるスキャン文書の出力例を示す概念図である。
【００８１】
図１１において、同図（ａ）は、図９のステップＳ２０８における塗りつぶし処理画像データに基づく出力画像６０ａの例を示し、同図（ｂ）は、図９のステップＳ２０９における現画像データに基づく出力画像６０ｂの例を示している。
【００８２】
なお、図１１の例における出力対象のスキャン文書情報は、塗りつぶしスキャンモードを設定して図２に示す領収書３０ａである原稿３０を図３のステップＳ１０２で読み取り、次いで、図３のステップＳ１０３で、該原稿３０の「Ｂ社○○部」なる領域を図４及び図５に示す手順で塗りつぶし領域として指定し、かつ、塗りつぶし態様（形、色、濃度）を設定したうえで、図３のステップＳ１０５〜Ｓ１０８で、該塗りつぶし領域情報、塗りつぶし設定情報と共に入力パスワードと関連付けてスキャン文書管理テーブル１３１ａに格納されたスキャン文書情報である。
【００８３】
かかるスキャン文書情報が出力対象として選択（図９のステップＳ２０３）された後、パスワード入力画面５３を用いて入力されたパスワードが当該スキャン文書情報に関連付けられているパスワードと一致しない場合（あるいは、パスワードが入力されなかった場合）には（同、ステップＳ２０６ＮＯ，ステップＳ２０７ＮＯ）、図９のステップＳ２０８の処理により、図１１（ａ）に示すように、この時のスキャン原稿３０である領収書３０ａ（図２参照）の画像中、塗りつぶし領域として指定された「Ｂ社○○部」という領域が一緒に設定された塗りつぶし態様（形＝矩形、色＝黒、濃度＝５０％）で塗りつぶされた画像６０ａが出力（表示または印刷）される。
【００８４】
また、このスキャン文書情報が出力対象として選択（図９のステップＳ２０３）された後、パスワード入力画面５３を用いて入力されたパスワードが当該スキャン文書情報に関連付けられているパスワードと一致した場合（同、ステップＳ２０７ＹＥＳ）には、元原稿３０の画像に対して、「Ｂ社○○部」が塗りつぶし領域として設定され、かつ、塗りつぶし態様（色、形、濃度）が設定されていても、図９のスップＳ２０９の処理を経て、ステップ図１１（ｂ）に示すように、塗りつぶし領域として指定された「Ｂ社○○部」の領域が塗りつぶされていない、スキャン原稿３０である領収書３０ａそのままの画像６０ｂが出力（表示または印刷）される。
【００８５】
このように、本実施例では、原稿３０をスキャンして得た画像データと、指定された塗りつぶし領域情報及び塗りつぶし設定情報を、入力されたパスワードと関連付けてスキャン文書情報として格納したうえで、その後、上記格納したスキャン文書情報を選択して出力指する際、利用者からパスワードの入力を受付け、該利用者によって入力されたパスワードが該スキャン文書情報に関連付けられたパスワードに一致するか否かに応じて、該スキャン文書情報の画像データを用いて画像（塗りつぶしのない原稿画像）を記録するか、または、該画像データの塗りつぶし領域情報によって示される領域を指定された塗りつぶし態様で塗りつぶし処理した塗りつぶし処理画像データ用いて元原稿３０の塗りつぶし領域が塗りつぶされた画像を出力するかを選択的に制御するため、原稿３０として、例えば、領収書３０ａ（図２参照）をスキャンして塗りつぶし設定に基づいて図１１（ａ）に示すように「Ｂ社○○部」の領域が塗りつぶされた画像を出力したスキャン文書についても、該スキャン文書に関連して格納されているパスワードを知っている利用者が、該スキャン文書を選択して出力指示する際に、当該パスワードを入力することで、図１１（ｂ）に示すように、「Ｂ社○○部」の部分が塗りつぶされていない原本（領収書３０ａ）のままの画像を出力することができる。
【００８６】
実施例２：
実施例２に係わる画像処理装置１０は、図１に示す機能構成中、制御部１６におけるスキャン文書格納制御部１６１の処理機能が実施例１のものと異なっている。
【００８７】
実施例１において、スキャン文書格納制御部１６１は、図３のステップＳ１０８、及び図８に示すように、原稿３０をスキャンして画像データに変換した後、塗りつぶし領域並びに塗りつぶし態様に続いてパスワードの入力を受付け、この入力パスワードと関連付けて当該スキャンにより得た画像データ、塗りつぶし領域情報、塗りつぶし設定情報をスキャン文書情報として格納したが、本実施例において、スキャン文書格納制御部１６１は、原稿３０をスキャンして得た画像データから、当該原稿３０の画像に対して設定された塗りつぶし領域情報、塗りつぶし設定情報に基づき当該塗りつぶし領域を塗りつぶし設定情報に基づいて塗りつぶし処理した塗りつぶし処理画像データを生成し、かつ、上記画像データから上記塗りつぶし領域情報に従って該塗りつぶし領域の画像データ（塗りつぶし前の塗りつぶし領域の画像データ）を切出したうえで、これら塗りつぶし処理画像データと、塗りつぶす前の塗りつぶし領域の画像データと、塗りつぶし領域情報及び塗りつぶし設定情報を塗りつぶしスキャンモード中に利用者により入力されたパスワードに関連付けて格納する（図１３参照）。
【００８８】
また、本実施例では、上述の如くパスワードと関連付けて格納したスキャン文書情報を選択して出力する際、制御部１６に設けられる出力態様選択制御部１６３は、利用者にパスワードの入力を促し、該入力されたパスワードが該スキャン文書情報に関連付けられているパスワードと一致しない場合（あるいは、パスワードが入力されない場合）には、該スキャン文書情報の上記塗りつぶし処理画像データに基づいて塗りつぶし領域が塗りつぶされた画像を出力し、入力パスワードがスキャン文書情報に関連付けられたパスワードと一致する場合は、該塗りつぶし処理画像データに塗りつぶし前の塗りつぶし領域の画像データをマージすることで、塗りつぶし領域が塗りつぶされていない元原稿のままの画像を復元して出力する特有の処理を行う。
【００８９】
ここでまず、本実施例の画像処理装置１０の塗りつぶしスキャンモードにおけるスキャン処理動作について、図１２に示すフローチャートを参照して説明する。
【００９０】
図１２において、ステップＳ１０１〜Ｓ１０６の処理は、図３に示す一連の処理（実施例１での塗りつぶしスキャンモードにおけるスキャン処理動作）における同ステップ符号の処理とそれぞれ同じであるため、その詳しい説明は割愛する。
【００９１】
ここでは、本実施例特有のステップＳ１１１及びＳ１１２の処理動作を主体に説明する。
【００９２】
図１２において、画像処理装置１０は、塗りつぶしスキャンモードを設定して原稿を読取り走査し（ステップＳ１０１，Ｓ１０２）、次いで、塗りつぶし領域指定画面５１ａ（５１ｃ）、塗りつぶし領域設定画面５１ｂを表示／操作部１５に表示して塗りつぶし領域及び塗りつぶし態様の設定を受付け（ステップＳ１０３）、該塗りつぶし設定操作の完了を確認する（ステップＳ１０４）と、パスワード入力画面５１ｄを表示／操作部１５に表示してパスワードの入力を受付ける（ステップＳ１０５）。
【００９３】
このパスワード入力画面５１ｄの表示中、スキャン文書格納制御部１６１は、当該画面５１ｄのパスワード入力エリア５１６に対するパスワードの入力状況、並びに「完了」ボタン５１７の操作状況を監視することによって、パスワードの入力があるか否かをチェックする（ステップＳ１０６）。
【００９４】
ここで、パスワードが入力されないまま「完了」ボタン５１７が押下されると、スキャン文書格納制御部１６１は、パスワードの入力無しと判断し（ステップＳ１０６ＮＯ）、ステップＳ１１１のスキャン文書情報格納処理に進む。
【００９５】
すなわち、ステップＳ１１１において、スキャン文書格納制御部１６１は、上記ステップＳ１０２での読取走査により得た画像データから、上記ステップＳ１０３での塗りつぶし設定受付処理で受付けた塗りつぶし領域情報〔例えば、塗りつぶし領域指定画面５１ａ，５１ｃ（図４，図６参照）等により指定された塗りつぶし領域の４点のアドレス情報〕及び塗りつぶし設定情報〔塗りつぶし設定画面５１ｂ（図５参照）等により設定された塗りつぶし領域の色、形、濃度の各情報〕に基づき、当該塗りつぶし領域（上記４点のアドレスで規定される領域）を塗りつぶし設定情報に基づいて塗りつぶし処理した塗りつぶし処理画像データを生成し、該塗りつぶし処理画像データを記憶部１３の所定エリア（スキャン文書管理テーブル１３１ｂ）に格納する。
【００９６】
これに対して、パスワードが入力され、かつ、「完了」ボタン５１７が押下されると、スキャン文書格納制御部１６１は、パスワードの入力有りと判断し（ステップＳ１０６ＹＥＳ）、ステップＳ１１２のスキャン文書情報格納処理に進む。
【００９７】
すなわち、ステップＳ１１２において、スキャン文書格納制御部１６１は、上記ステップＳ１０２での読取走査により得た画像データから、上記ステップＳ１０３での塗りつぶし設定受付処理で受付けた塗りつぶし領域情報〔例えば、塗りつぶし領域指定画面５１ａ，５１ｃ（図４，図６参照）等により指定された塗りつぶし領域の４点のアドレス情報〕及び塗りつぶし設定情報〔塗りつぶし設定画面５１ｂ（図５参照）等により設定された塗りつぶし領域の色、形、濃度の各情報〕に基づき、当該塗りつぶし領域（上記４点のアドレスで規定される領域）を塗りつぶし設定情報に基づいて塗りつぶし処理した塗りつぶし処理画像データを生成する。
【００９８】
また、上記ステップＳ１０２での読取走査により得た画像データから、上記ステップＳ１０３での塗りつぶし設定受付処理で受付けた塗りつぶし領域情報に従って該塗りつぶし領域の画像データ（塗りつぶし前の塗りつぶし領域の画像データ）を切出す。
【００９９】
そのうえで、スキャン文書格納制御部１６１は、生成した塗りつぶし処理画像データと、画像データから切出した塗りつぶす前の塗りつぶし領域の画像データと、上記ステップＳ１０３で受付けた塗りつぶし領域情報及び塗りつぶし設定情報とを、上記ステップＳ１０６で利用者により入力されたパスワードに関連付けて記憶部１３の所定エリア（スキャン文書管理テーブル１３１ｂ）に格納する。
【０１００】
なお、上記ステップＳ１１１，Ｓ１１２のいずれの処理においても、塗りつぶし処理画像データ及び塗りつぶし前の塗りつぶし領域の画像データ等をパスワードに関連付けて格納する際、当該画像データ毎にその識別を可能にする、例えば、スキャン文書１，２，３，…等の適宜な識別子（スキャン文書名）が付加される。
【０１０１】
図１３は、図１２におけるステップＳ１１２の処理によって記憶部１３のスキャン文書管理テーブル１３１ｂに格納されるスキャン文書情報の構成を示す図である。
【０１０２】
図１３に示すように、本実施例では、複数の原稿３０を、各々、塗りつぶしスキャンモードでスキャンし終えた段階で、スキャン文書管理テーブル１３１ｂには、これら各原稿３０毎に、スキャン文書名、塗りつぶし処理画像データ、塗りつぶし前の塗りつぶし領域の画像データ、塗りつぶし領域情報、塗りつぶし設定情報、パスワードが一まとまりにされて関連付けられたスキャン文書情報が格納される。
【０１０３】
このスキャン文書管理テーブル１３１ｂにおけるスキャン文書情報の格納構造によれば、各スキャン文書（スキャン文書１，２，…）毎に、該当する原稿３０の画像中の指定された塗りつぶし領域を塗りつぶした画像を出力可能な情報（塗りつぶし処理画像データ）と、元原稿３０そのままの塗りつぶしのない画像を復元可能な情報（塗りつぶし前の塗りつぶし領域の画像データ、塗りつぶし領域情報及び塗りつぶし設定情報）とが各々パスワードと関連付けて格納されるため、その後、該スキャン文書情報を選択して画像出力する場合には、パスワードの入力を促し、該入力されたパスワードと当該スキャン文書情報に関連付けられているパスワードとの一致性を判断することで、元原稿３０そのままの画像を出力するか、指定された塗りつぶし領域を塗りつぶした画像を出力するかの出力態様選択制御に対応できるようになる。
【０１０４】
次に、本実施例に係わる画像処理装置１０におけるスキャン文書の出力処理動作について図１４に示すフローチャートを参照して詳述する。
【０１０５】
図１４において、ステップＳ２０１〜Ｓ２０７の各処理は、図９に示す一連の処理（実施例１でのスキャン文書出力処理動作）における同ステップ符号の処理とそれぞれ同じであるため、その詳しい説明は割愛する。
【０１０６】
ここでは、本実施例特有のステップＳ２１１及びＳ２１２の処理動作を主体に説明する。
【０１０７】
図１４において、画像処理装置１０は、表示／操作部１５に表示されているＵＩ画面上でのスキャン文書表示／プリント操作により（ステップＳ２０１）、格納しているスキャン文書を一覧表示（ステップＳ２０２）して利用者に出力対象のスキャン文書を選択（ステップＳ２０３）させた後、表示／操作部１５に、例えば、図１０に示す表示内容から成るパスワード入力画面５３を表示する（ステップＳ２０４）。
【０１０８】
このパスワード入力画面５３の表示中、出力態様選択制御部１６３は、該画面５３の「出力種別」ツールの「表示」ボタン５３３１または「プリント」ボタン５３３２の押下状況を監視することにより出力種別が選択されたか否かをチェックする（ステップＳ２０５）。
【０１０９】
ここで、出力種別が選択された場合（ステップＳ２０５ＹＥＳ）、次いで、出力態様選択制御部１６３は、パスワード入力エリア５３２２に対するパスワードの入力状況、並びに「完了」ボタン５３２３の操作状況を監視することによって、パスワードの入力があるか否かをチェックする（ステップＳ２０６）。
【０１１０】
ここで、パスワードが入力されないまま「完了」ボタン５３２３が押下されると、出力態様選択制御部１６３は、パスワードの入力無しと判断し（ステップＳ２０６ＮＯ）、上記ステップＳ２０３で選択されたスキャン文書情報に関連してスキャン文書管理テーブル１３１ｂ（図１３参照）に格納されている塗りつぶし処理画像データを選択し、該塗りつぶし処理画像データに基づき、塗りつぶし領域が指定された塗りつぶし態様（色、形、濃度）で塗りつぶされた画像を出力させるように制御する（ステップＳ２１１）。
【０１１１】
このステップＳ２１１での塗りつぶし画像出力制御において、出力態様選択制御部１６３は、上記ステップＳ２０５において、「出力種別」ツールの「表示」ボタン５３３１が押下されることにより出力種別として「表示」が選択されている場合には、上記塗りつぶし処理画像データに基づき、表示／操作部１５上に、該スキャン文書情報の元原稿３０の画像における指定された塗りつぶし領域が指定された塗りつぶし態様（色、形、濃度）で塗りつぶされた画像を表示させる。
【０１１２】
また、上記ステップＳＳ２０５において、「出力種別」ツールの「プリント」ボタン５３３２が押下されることにより出力種別として「プリント」が選択されている場合には、出力態様選択制御部１６３は、上記塗りつぶし処理画像データを画像形成部１４に渡し、該スキャン文書情報の元原稿３０の画像における指定された塗りつぶし領域が指定された塗りつぶし条件（色、形、濃度）で塗りつぶされた画像を印刷出力させる。
【０１１３】
このステップＳ２１１の出力処理によれば、出力対象のスキャン文書情報が、実施例１と同様、図２に示す領収書３０ａである原稿３０を塗りつぶしスキャンモードで読み取って、実施例１と同様の「Ｂ社○○部」の領域を実施例１と同様の塗りつぶし態様（形、色、濃度）が設定されたものである場合には、その出力画像は、図１１（ａ）に示すような出力画像６０ａ（実施例１と同じ態様）となる。
【０１１４】
これに対して、パスワードが入力され、かつ、「完了」ボタン５３２３が押下されると、パスワード判定部１６２は、パスワードの入力有りと判断し（ステップＳ２０６ＹＥＳ）、次いで、この入力されたパスワードと、上記ステップＳ２０３で選択されたスキャン文書情報に関連してスキャン文書管理テーブル１３１ｂ（図１３参照）に格納されているパスワードとを比較照合し、両者が一致するか否かをチェックする（ステップＳ２０７）。
【０１１５】
ここで、ステップＳ２０６で入力されたパスワードと、上記ステップＳ２０３で選択されたスキャン文書情報に関連するパスワードが一致しない場合（ステップＳ２０７ＮＯ）、出力態様選択制御部１６３は、上記ステップＳ２０６でパスワードが入力されなかった場合（ステップＳ２０６ＮＯ）と同様、塗りつぶし処理画像データに基づく画像の出力制御（表示または印刷）を実施する（ステップＳ２１１）。
【０１１６】
これに対し、ステップＳ２０６で入力されたパスワードと、上記ステップＳ２０３で選択されたスキャン文書情報に関連するパスワードが一致する場合（ステップＳ２０７ＹＥＳ）、出力態様選択制御部１６３は、上記ステップＳ２０３で選択されたスキャン文書情報に関連してスキャン文書管理テーブル１３１ｂ（図１３参照）に格納されている塗りつぶし処理画像データと、塗りつぶし前の塗りつぶし領域の画像データと、塗りつぶし領域情報とに基づき、塗りつぶし処理画像データに、塗りつぶし前の塗りつぶし領域の画像データをマージした画像データを生成（復元）し、該画像データに基づく画像出力制御を行なう（ステップＳ２１２）。
【０１１７】
このステップＳ２１２での画像出力制御においても、出力態様選択制御部１６３は、上記ステップＳＳ２０５において、「出力種別」ツールの「表示」ボタン５３３１が押下されることにより出力種別として「表示」が選択されている場合には、スキャン文書管理テーブル１３１ｂから読み出した塗りつぶし処理画像データに塗りつぶし前の塗りつぶし領域の画像データをマージして得た画像データに基づき、表示／操作部１５上に、該スキャン文書情報の元原稿３０の画像そのままの画像（塗りつぶしのない画像）を表示させ、また、上記ステップＳＳ２０５において、「出力種別」ツールの「プリント」ボタン５３３２が押下されることにより出力種別として「プリント」が選択されている場合には、スキャン文書管理テーブル１３１ｂから読み出した塗りつぶし処理画像データに塗りつぶし前の塗りつぶし領域の画像データをマージして得た画像データを画像形成部１４に渡し、該スキャン文書情報の元原稿３０の画像そのままの画像（塗りつぶしのない画像）を印刷出力させる。
【０１１８】
このステップＳ２１２の出力処理において、出力対象のスキャン文書情報が、実施例１と同様、図２に示す領収書３０ａである原稿３０を塗りつぶしスキャンモードで読み取って、実施例１と同様の「Ｂ社○○部」の領域を実施例１と同様の塗りつぶし態様（形、色、濃度）が設定された画像データである場合には、その出力画像は、図１１（ｂ）に示すような出力画像６０ｂ（実施例１と同じ態様）となる。
【０１１９】
このように、本実施例では、原稿３０をスキャンして得た画像データを塗りつぶし処理して生成した塗りつぶし処理画像データ、塗りつぶし前の塗りつぶし領域の画像データ、塗りつぶし領域情報、塗りつぶし設定情報を、上記塗りつぶし設定受付けに際して利用者から入力されたパスワードと関連付けてスキャン文書情報として格納したうえで、その後、上記格納したスキャン文書情報を選択して出力指する際、利用者からパスワードの入力を受付け、該利用者によって入力されたパスワードが該スキャン文書情報に関連付けられたパスワードに一致するか否かに応じて、塗りつぶし処理画像データに、塗りつぶし前の塗りつぶし領域の画像データをマージした画像データに基づく画像を出力するか、塗りつぶし処理画像データに基づき、塗りつぶし領域が指定された塗りつぶし態様（色、形、濃度）で塗りつぶされた画像を出力させるかを選択的に制御するため、実施例１と同様、原稿３０として、例えば、領収書３０ａ（図２参照）をスキャンして塗りつぶし設定に基づいて図１１（ａ）に示すように「Ｂ社○○部」の領域が塗りつぶされた画像を出力したスキャン文書についても、該スキャン文書に関連して格納されているパスワードを知っている利用者が、該スキャン文書を選択して出力指示する際に、当該パスワードを入力することで、図１１（ｂ）に示すように、「Ｂ社○○部」の部分が塗りつぶされていない原本（領収書３０ａ）のままの画像を出力することができる。
【０１２０】
上記実施例１及び２のいずれにおいても、スキャン文書情報に関連付けて格納したパスワードを、該スキャン文書情報に基づき元原稿３０の画像を指定された塗りつぶし領域を塗りつぶした画像として出力するか、塗りつぶし領域が塗りつぶされていない画像として出力するかを制御するキー情報として用いるため、原稿３０を読取走査して得た画像データ等を含むスキャン文書情報を蓄積しておき、該蓄積されたスキャン文書情報を基に、元原稿３０の画像のある領域が塗りつぶされた画像を見ることができる一方で、スキャン文書情報を選択して出力（表示または印刷）指示する際、該出力対象のスキャン文書情報に関連付けられているパスワードを入力することで、該パスワードを知る特別な利用者のみ、塗りつぶした部分がない元原稿そのままの画像を見ることができる。
【０１２１】
この他、本発明は、上記し、且つ図面に示す実施例に限定することなく、その要旨を変更しない範囲内で適宜変形して実施できるものである。
【０１２２】
例えば、本発明に係わる画像処理装置１０では、塗りつぶしスキャンモードでのスキャン処理において、パスワード入力画面５１ｄ（図７参照）を用いてパスワードが入力された場合、図３のステップＳ１０８、あるいは図１２のステップＳ１１２に相当するスキャン文書情報格納処理に際し、その前の原稿スキャンにより得た画像データと、実施例２と同様の方法で生成した塗りつぶし処理画像データとを該入力されたパスワードに関連付けて格納しておく一方、スキャン文書情報出力処理において、パスワード入力画面５３（図１０参照）を用いて入力されパスワードが出力対象スキャン文書情報に関連付けられたパスワードと一致しない場合（あるいは、パスワードが入力されない場合）は、該スキャン文書情報中の上記塗りつぶし処理画像データを単に選択して該塗りつぶし処理画像データを基に画像を出力し、上記両パスワードが一致した場合には、該スキャン文書情報中の上記画像データを単に選択して該画像データを基に画像を出力する構成としても良い。
【０１２３】
また、上記実施例では、ＵＩ装置として大型ビットマップディスプレイが付加された複合機を例に挙げたが、本発明は、複写機能を有する画像処理装置全般に適用できる。
【０１２４】
また、上記実施例では、原稿読取走査により得た画像データや、指定された塗りつぶし領域の情報等から成るスキャン文書情報を、入力された上記パスワードと関連付けて格納する処理を画像処理装置１０単体で行う例を挙げたが、これらの処理を外部装置（例えば、ＰＣ）と連携して行うシステム構成としても良い。
【０１２５】
このような画像処理システムは、図１に示す機能構成を有する画像処理装置１０に外部Ｉ／Ｆ部１７を介してＰＣを接続し、ＰＣには、画像処理装置１０から読取部１１が原稿読取走査により得た画像信号を受信する受信手段と、受信した画像信号を基に原稿３０の画像を表示し、該画像中の塗りつぶし領域を指定する塗りつぶし領域指定手段と、塗りつぶし領域指定手段による塗りつぶし領域の指定に際して利用者識別情報を入力する利用者識別情報入力手段と、受信した画像信号及び塗りつぶし領域指定手段により指定された塗りつぶし領域情報を含むスキャン文書情報を、利用者識別情報入力手段により入力された利用者識別情報と関連付けて画像処理装置１０の記憶部１４に格納するスキャン文書格納処理手段とを設ける一方、画像処理装置１０には、読取部１１による原稿読取走査により得た画像信号を外部Ｉ／Ｆ部１７を通じてＰＣに転送する転送手段と、ＰＣのスキャン文書格納処理手段により記憶部１４に格納されたスキャン文書情報の中から出力対象のスキャン文書情報を選択するスキャン文書選択手段を新たに設ける構成により実現できる。
【０１２６】
画像処理装置１０におけるその他の構成（スキャン文書選択手段により出力対象のスキャン文書情報を選択する際、利用者識別情報の入力を受付ける手段、パスワード判定部１６２、出力態様選択制御部１６３等）は、上記実施例で述べたような機能構成を援用できる。
【産業上の利用可能性】
【０１２７】
本発明は、原稿を読取走査して得た画像信号の指定された領域を塗りつぶし処理して該領域が塗りつぶされた画像を形成する画像処理装置全般に適用でき、スキャン文書情報に関連付けて格納した利用者識別情報を、該スキャン文書情報に基づき原稿の画像を指定された塗りつぶし領域を塗りつぶした画像として出力するか、塗りつぶし領域が塗りつぶされていない画像として出力するかを制御するキー情報として用いることで、スキャン文書情報を選択して出力（表示または印刷）指示する際、該出力対象のスキャン文書情報に関連付けられている利用者識別情報を入力することで、該利用者識別情報を知る特別な利用者のみ、塗りつぶした部分がない原稿そのままの画像を見ることができる。
【図面の簡単な説明】
【０１２８】
【図１】本発明に係わる画像処理装置の機能構成を示すブロック図。
【図２】スキャン対象原稿として用いる領収書の一例を示す図。
【図３】実施例１に係わる画像処理装置の塗りつぶしスキャンモードにおけるスキャン処理動作を示すフローチャート。
【図４】塗りつぶし領域指定画面の表示例を示す図。
【図５】塗りつぶし設定画面の表示例を示す図。
【図６】塗りつぶし領域指定画面の別の表示例を示す図。
【図７】スキャン文書格納時のパスワード入力画面の表示例を示す図。
【図８】実施例１のスキャン文書管理テーブルのスキャン文書情報格納例を示す表図。
【図９】実施例１に係わる画像処理装置におけるスキャン文書出力処理動作を示すフローチャート。
【図１０】スキャン文書出力時のパスワード入力画面の表示例を示す図。
【図１１】実施例１に係わるスキャン文書の出力例を示す概念図。
【図１２】実施例２に係わる画像処理装置の塗りつぶしスキャンモードにおけるスキャン処理動作を示すフローチャート。
【図１３】実施例２のスキャン文書管理テーブルのスキャン文書情報格納例を示す表図。
【図１４】実施例２に係わる画像処理装置におけるスキャン文書出力処理動作を示すフローチャート。
【符号の説明】
【０１２９】
１０…画像処理装置、１１…読取部、１２…画像処理部、１３…記憶部、１３１ａ，１３１ｂ…スキャン文書管理テーブル、１４…画像形成部、１５…表示／操作部、１６…制御部、１６１…スキャン文書格納制御部、１６２…パスワード判定部、１６３…出力態様選択制御部、１７…外部インタフェース（Ｉ／Ｆ）部、３０…原稿、３０ａ…領収書、５１ａ、５１ｃ…塗りつぶし領域指定画面、５１ｂ…塗りつぶし設定画面、５１ｄ，５３…パスワード入力画面、６０ａ，６０ｂ…出力画像
【図１】
2007158595.tif 000003
【図２】
2007158595.tif 000004
【図３】
2007158595.tif 000005
【図４】
2007158595.tif 000006
【図５】
2007158595.tif 000007
【図６】
2007158595.tif 000008
【図７】
2007158595.tif 000009
【図８】
2007158595.tif 000010
【図９】
2007158595.tif 000011
【図１０】
2007158595.tif 000012
【図１１】
2007158595.tif 000013
【図１２】
2007158595.tif 000014
【図１３】
2007158595.tif 000015
【図１４】
2007158595.tif 000016